(57)【要約】【課題】安価に入手可能なハードウェアである連続信号用の光送信器又は／及び光受信器を使用すること。【解決手段】信号の安定に関するパラメータを外部から取得する取得部と、パラメータを用いて信号の送信タイミング又は受信タイミングを制御する制御部と、を備える通信装置。【選択図】図１
2019092126.tif 000002
【特許請求の範囲】
【請求項１】
信号の安定に関するパラメータを外部から取得する取得部と、
前記パラメータを用いて信号の送信タイミング又は受信タイミングを制御する制御部と、
を備える通信装置。
【請求項２】
制御の対象又は前記パラメータが取得される対象である連続信号用の光送信器又は光受信器の少なくとも一つをさらに備える、請求項１に記載の通信装置。
【請求項３】
前記パラメータには、信号を送受信するために光送信器又は／及び光受信器の安定に要する時間の情報が含まれ、
前記制御部は、前記時間経過後に信号の送信又は受信を行うように送信タイミング又は受信タイミングを制御する、請求項１又は２に記載の通信装置。
【請求項４】
前記パラメータには、光送信器又は／及び光受信器の信号速度に関する情報が含まれ、
前記制御部は、前記信号速度に関する情報で示される信号速度で信号の送信又は受信を行うように制御する、請求項１から３のいずれか一項に記載の通信装置。
【請求項５】
前記取得部は、信号を送受信するために光送信器又は／及び光受信器の安定に要する時間を、
外部にある制御システムからの通知又は照会で取得する、或いは、レンジングやディスカバリ時又は所定のタイミング又は問い合わせに応じて申告させて取得する、或いは、レンジングやディスカバリ時又は所定のタイミング又は通知されて取得する、或いは、予め備える識別子やアドレスから機器種別を識別し、機器種別に応じた時間を対応表等から取得する、或いは、送信開始又は起動の時刻を指定してデータを送信させ、その時刻から所定の出力強度が到着開始する時刻を減じて取得する、或いは、送信時間を指定してデータを送信させ、所定の出力強度又は所定の誤り率である時間を測定し、信号の送信までに前詰で時間を要する場合には、発光開始から発光停止までの時間、又は、起動から停止、又は、スリープまでの時間から所定の出力強度、又は、所定の誤り率である時間を減じ、停止、又は、スリープまでに時間を要する場合にはその時間を先の値から減じて取得する、或いは、所定の時間の取得に際し、ビット単位で所定の強度以上での受信又は誤り等が検出できる場合には、ビット単位で時間を検出し、フレーム単位で所定の強度以上での受信又は誤り等が検出できる場合にはフレーム単位で時間を取得する、或いは、隣接の時刻で他に送信許可する時間と、送信許可する時間の間隔を狭めて、所定の強度又は誤り率での受信ができる時間を検出して取得する、請求項１から４のいずれか一項に記載の通信装置。
【請求項６】
前記制御部は、
起動又は切替えしてから安定に要する時間以上経過した後に信号のやりとりを行うように制御する、或いは、起動又は切替えしてから安定に要する時間するまではダミー信号やプリアンブル等の送信又は／及び受信を行い、安定に要する時間経過した後に信号のやりとりを行うように制御する、請求項１から５のいずれか一項に記載の通信装置。
【請求項７】
信号の安定に関するパラメータを外部から取得する取得ステップと、
前記パラメータを用いて信号の送信タイミング又は受信タイミングを制御する制御ステップと、
を有する制御方法。
【発明の詳細な説明】
【技術分野】
【０００１】
本発明は、通信装置及び制御方法に関する。
【背景技術】
【０００２】
通信装置を備える通信システムには、例えば、ＰＯＮ（Passive Optical Network)システムがある。ＰＯＮシステムは、顧客の宅内等に設置される通信装置である加入者線終端装置（:Optical Network Unit）と、局舎に設置される通信装置である加入者線端局装置（ＯＬＴ:Optical Line Terminal）と、光分配網（ＯＤＮ:Optical Distribution Network）とを備える。ＯＤＮは、複数のＯＮＵと単一のＯＬＴや、複数のＯＮＵと複数のＯＬＴとを接続する場合がある。
【０００３】
通信装置において、装置の準拠規格、世代、方式、システム、機器種別、製造ベンダの少なくともいずれかに関して依存性の低い機能等を部品化し、当該機能のアプリケーションプログラミングインタフェース（ＡＰＩ:Application Programming Interface）等の入出力インタフェース（ＩＦ:Interface）の少なくとも一部を明確化し、汎用性・移植性・拡張性を高めることで、準拠規格、世代、方式、システム、機器種別、製造ベンダの少なくともいずれかが異なる機器間での共用や独自機能の追加を容易とすることができるＦＡＳＡ（Flexible Access System Architecture：新アクセスシステムアーキテクチャ）が知られている（例えば、非特許文献１参照）。
【０００４】
ＦＡＳＡでは、従来専用機器で実現してきたアクセスネットワーク機能を、安価に入手可能なハードウェアを活用しつつ、ＯＬＴ等の通信装置が持つ機能を柔軟に追加及び変更できるようにすることを目指している。また、ＦＡＳＡでは、従来ハードウェア実装される機能をソフトウェア実装することで、容易に変更及び更新できる範囲を広げることも並行して検討されている。安価に入手可能なハードウェアを使用する例として、例えばバースト信号を送信又は受信する時分割多重のＰＯＮシステム等に連続信号用の光送信器または光受信器を用いることが考えられる。
【０００５】
ここで、連続信号用の光送信器及び光受信器は同符号連続耐性で求められるビット又はシンボルを伝送するに相当する時間以上同符号で信号強度が低いままで継続しない信号を送信又は受信するものであり、バースト信号用の光送信器及び光受信器は、同符号耐性で求められるビット又はシンボルを伝送するに相当する時間に比べて十分長い時間信号強度が低いまま又は信号送信しない後に送信又は受信する信号や、送信器が切替する等で信号の強度や位相等の不連続な変化に対して数〜数百ビット又はシンボル時間等の所定の時間で応答する。なお、バースト信号対応の光送信器又は光受信器であっても、適用するシステムに求められる同符号連続耐性よりも小さいものや、適用するシステムに求められる強度や位相の不連続な変化に所定の時間で応答できないものは、当該システムにとっては連続信号用の光送信器又は光受信器と見做せる。
【先行技術文献】
【非特許文献】
【０００６】
【非特許文献１】“ＦＡＳＡホームページへようこそ”、［online］、ＮＴＴアクセスサービス研究所、［平成２９年１１月１６日検索］、インターネット〈URL：http://www.ansl.ntt.co.jp/j/FASA/index.html〉
【発明の概要】
【発明が解決しようとする課題】
【０００７】
連続信号用の光送信器又は／及び光受信器は、当該光送信器又は／及び光受信器で予め想定する時間以上、信号のない状態が継続した後に信号がある、所謂バースト信号の送受信や、起動してから予め想定する時間以上経過する前に信号をやりとりする場合、光送信器の送信する又は光受信器の受信する信号の安定に時間を要したり、送信できる信号速度に違いがある。そのため、ＦＡＳＡにおいて、安価に入手可能なハードウェアである連続信号用の光送受信器を使用することができないという問題があった。
【０００８】
上記事情に鑑み、本発明は、安価に入手可能なハードウェアである連続信号用の光送信器又は／及び光受信器を使用することができる技術の提供を目的としている。
【課題を解決するための手段】
【０００９】
本発明の一態様は、信号の安定に関するパラメータを外部から取得する取得部と、前記パラメータを用いて信号の送信タイミング又は受信タイミングを制御する制御部と、を備える通信装置である。
【００１０】
本発明の一態様は、上記の通信装置であって、制御の対象又は前記パラメータが取得される対象である連続信号用の光送信器又は光受信器の少なくとも一つをさらに備える。
【００１１】
本発明の一態様は、上記の通信装置であって、前記パラメータには、信号を送受信するために光送信器又は／及び光受信器の安定に要する時間の情報が含まれ、前記制御部は、前記時間経過後に信号の送信又は受信を行うように送信タイミング又は受信タイミングを制御する。
【００１２】
本発明の一態様は、上記の通信装置であって、前記パラメータには、光送信器又は／及び光受信器の信号速度に関する情報が含まれ、前記制御部は、前記信号速度に関する情報で示される信号速度で信号の送信又は受信を行うように制御する。
【００１３】
本発明の一態様は、上記の通信装置であって、前記取得部は、信号を送受信するために光送信器又は／及び光受信器の安定に要する時間を、外部にある制御システムからの通知又は照会で取得する、或いは、レンジングやディスカバリ時又は所定のタイミング又は問い合わせに応じて申告させて取得する、或いは、レンジングやディスカバリ時又は所定のタイミング又は通知されて取得する、或いは、予め備える識別子やアドレスから機器種別を識別し、機器種別に応じた時間を対応表等から取得する、或いは、送信開始又は起動の時刻を指定してデータを送信させ、その時刻から所定の出力強度が到着開始する時刻を減じて取得する、或いは、送信時間を指定してデータを送信させ、所定の出力強度又は所定の誤り率である時間を測定し、信号の送信までに前詰で時間を要する場合には、発光開始から発光停止までの時間、又は、起動から停止、又は、スリープまでの時間から所定の出力強度、又は、所定の誤り率である時間を減じ、停止、又は、スリープまでに時間を要する場合にはその時間を先の値から減じて取得する、或いは、所定の時間の取得に際し、ビット単位で所定の強度以上での受信又は誤り等が検出できる場合には、ビット単位で時間を検出し、フレーム単位で所定の強度以上での受信又は誤り等が検出できる場合にはフレーム単位で時間を取得する、或いは、隣接の時刻で他に送信許可する時間と、送信許可する時間の間隔を狭めて、所定の強度又は誤り率での受信ができる時間を検出して取得する。
【００１４】
本発明の一態様は、上記の通信装置であって、前記制御部は、起動又は切替えしてから安定に要する時間以上経過した後に信号のやりとりを行うように制御する、或いは、起動又は切替えしてから安定に要する時間するまではダミー信号やプリアンブル等の送信又は／及び受信を行い、安定に要する時間経過した後に信号のやりとりを行うように制御する。
【００１５】
本発明の一態様は、信号の安定に関するパラメータを外部から取得する取得ステップと、前記パラメータを用いて信号の送信タイミング又は受信タイミングを制御する制御ステップと、を有する制御方法である。
【発明の効果】
【００１６】
本発明により、安価に入手可能なハードウェアである連続信号用の光送信器又は／及び光受信器を使用することが可能となる。
【図面の簡単な説明】
【００１７】
【図１】第１の実施形態の通信システムの構成例を示す図である。
【図２】伝送効率を向上させるための処理の説明図である。
【図３】本発明におけるＯＮＵ及びＯＬＴの動作を説明するための図である。
【図４】上り信号がバーストとして、送信側をＯＮＵ、受信側をＯＬＴとした場合の一例を示す図である。
【図５】ＯＮＵとＯＬＴ内の処理を模式的に示した図である。
【図６】部品又は装置の群からなる仮想的な通信装置又は通信システムの構成の例を示す図である。
【発明を実施するための形態】
【００１８】
（第１の実施形態）
図１は、第１の実施形態の通信システム１００の構成例を示す図である。
通信システム１００は、制御システム１、ＯＮＵ２０及びＯＬＴ３０を備える。
制御システム１は、例えばオペレーションシステム（ＯｐＳ: Operation System）、ＯＳＳ（Operation Support System）、ＮＥ（Network Element）を制御するＮＥ−ＯｐＳ、ＮＥのコントローラ、ＮＥ−ＯｐＳ等のＯＬＴ３０の設定管理システムであるＥＭＳ等である。制御システム１は、安価な装置（例えば、連続信号用の光送信器又は／及び光受信器）を使うために用いられる信号の安定に関するパラメータをＯＮＵ２０及びＯＬＴ３０に提供する。
【００１９】
信号の安定に関するパラメータとは、装置種別が識別できるＭＡＣアドレス等の識別情報、信号の安定に要する時間、周波数応答、インダクタンスと静電容量の組、ダンピング係数及び信号速度に関する情報等である。以下の説明では、信号の安定に要する時間を立ち上がり時間と記載する。立ち上がり時間は、時定数に応じた時間であり、安定動作状態の所定の比率（例えば９０％）の出力となり、安定状態でないことで発生するデータ誤り等の信号の劣化がシステムで許容される程度となるまでの時間等である。
【００２０】
ＯＮＵ２０は、顧客の宅内等に設置される通信装置である加入者線終端装置である。ＯＮＵ２０は、外部（例えば、制御システム１）から得られる信号の安定に関するパラメータを用いて、信号の送信タイミング又は受信タイミングを制御して、ＯＬＴ３０との間で信号の送受信を行う。
ＯＬＴ３０は、局舎に設置される通信装置である加入者線端局装置である。ＯＬＴ３０は、外部（例えば、制御システム１）から得られる信号の安定に関するパラメータを用いて、信号の送信タイミング又は受信タイミングを制御して、ＯＮＵ２０との間で信号の送受信を行う。
【００２１】
第１の実施形態では、ＯＮＵ２０とＯＬＴ３０の少なくとも一方の光送信器又は光受信器の内の少なくとも一方が連続信号用であるとする。例えば、ＯＮＵ２０とＯＬＴ３０の少なくとも一方が、バースト信号を送信するための連続信号用の光送信器又はバースト信号を受信するための連続信号用の光受信器の少なくとも一方を備える。より具体的には、ＯＮＵ２０とＯＬＴ３０の少なくとも一方は、制御の対象である連続信号用の光送信器、パラメータが取得される対象である連続信号用の光送信器、制御の対象である連続信号用の光受信器及びパラメータが取得される対象である連続信号用の光受信器の少なくとも一つを備える。
【００２２】
以下、ＩＭ−ＤＤ等のＯＮ／ＯＦＦ変調の信号を例にとって説明を加えるが、位相変調やそれ以外の位相変調やＱＡＭ(quadrature amplitude modulation)等の信号であっても、送信器が変わると信号強度や位相が不連続に変化するので同様である。
連続信号用の光送信器又は／及び光受信器（以降光送受信器と称す）では、連続信号用にチューニングされている。多くは、想定される同一符号の連続信号が通る周波数から変調速度の１／２〜３／４の周波数までであり、取り扱いを容易にするためにＤＣ結合ではなく、ＡＣ結合である。ＡＣ結合のため、バーストオフの信号断状態からのバーストオンとなって信号が入り始めると、コンデンサに電荷が溜まり始め、平均入力信号強度に応じた電荷に落ち着く。コンデンサの電荷の溜り具合が落ち着くまでは出力信号強度がドリフトするため、符号を識別する識別器の閾値を設定できないないことから、連続信号用でバースト信号を送受信するためには立ち上がり時間への対応が必要である。
【００２３】
本実施形態では、連続信号用の光送信器又は光受信器を消光／発光を切替えることで、バースト送受信するＰＯＮで使用する。ＯＮＵ２０又はＯＬＴ３０は、起動(指示)又は発光開始(指示)後であって、所定の時間（立ち上がり時間）経過後にユーザデータ又は制御データを送信する。
【００２４】
次に、ＯＮＵ２０及びＯＬＴ３０が行う処理について説明する。
＜立ち上がり時間の対応＞
平均入力信号強度に応じた電荷に落ち着く時間が立ち上がり時間である。
所定の時間は、例えば、ＩＮＨ等で発光のみを停止できる場合には送信型の出力強度が所定のビットパターン連続発光状態の立ち上がり時間であり、スリープ又は停止する場合にはＷａｋｅＵｐや起動に要する時間であり、ＷａｋｅＵｐや起動に要する時間に発光開始までの出力強度安定までの時間が含まれていない場合にはその時間を加えた時間である。
【００２５】
なお、所定の時間には、送信器毎又は送信機会毎に揺らぎがある場合には、揺らぎの時間を加味して良い。具体的には、揺らぎの最大値を加える、揺らぎの分散値又はその整数倍を加える、揺らぎの平均と分散より立ち上がりが遅くなり、許容できる誤り率に収まる時間だけ加える等である。許容される誤り率にはフレームが廃棄されない誤り率を含む。
【００２６】
上記の所定のビットパターンとは、例えば、ＩＭ−ＤＤ等のＯＮ／ＯＦＦ変調であれば、ＯＮ／ＯＦＦの比が１：１等の所定の比率となるビットパターンであってもよいし、ＰＡＭ（Pulse Amplitude Modulation）やＱＡＭ等であれば信号送信のスクランブル後のビットパターンである。
ユーザデータ又は制御データを送信するまでは、Ｂ−ＯＨ(Burst Overhead)等の所定のビットパターンを送信してもよいし、Ｂ−ＯＨ相当の代わりに、受信して復号しなくてもよいフレームを送信してもよい。
【００２７】
この立ち上がり時間に対応するために、連続信号用の光送受信器の出力が安定するまでの時間を通知／測定／識別番号等から探索すること等で得て、その時間経過後の信号を実際の通信で使用することで信号が安定化され、正常な信号が送受信できる。探索は、以下のように行い、当該時間を取得する。
【００２８】
＜所定の時間の取得＞
所定の時間は、以下のいずれかにより取得してもよい。
１.制御システム１からの通知或いは制御システム１への照会で予め或いは必要に応じて所定の時間を取得する。
２．ＯＮＵ２０にレンジングやディスカバリ時又は所定のタイミング又はＯＬＴ３０からの問い合わせに応じて、申告させる。或いはレンジングやディスカバリ時又は所定のタイミング又は通知される。
３．ＯＮＵ２０やそのＩＦ等の備える識別子、例えばＭＡＣアドレス等から機器種別等を識別し、機器種別等に該当する時間を対応表やカタログデータやインターネット等を経由した外部のサーバ等から取得する。
４．ＯＮＵ２０に送信開始又は起動の時刻を指定してデータを送信させ、その時刻から所定の出力強度が到着開始する時刻を減じた値を所定の時間とする。
５．ＯＮＵ２０に送信時間を指定してデータを送信させ、所定の出力強度又は所定の誤り率である時間を測定する。信号の送信までに前詰で時間を要する場合には、発光開始から発光停止までの時間、又は、起動から停止、又は、スリープまでの時間から所定の出力強度、又は、所定の誤り率である時間を減じたものが所定の時間となる。停止、又は、スリープまでに時間を要する場合にはその時間を先の値から減じた値が所定の時間となる。
６．所定の時間の取得に際し、ビット単位で所定の強度以上での受信又は誤り等が検出できる場合には、ビット単位で時間を検出し、フレーム単位で所定の強度以上での受信又は誤り等が検出できる場合にはフレーム単位で時間を検出する。時間は予め定めたビット数又はフレーム数からの差分で検出してもよいし、所定のビット毎ごとに何ビット目かを識別する値を挿入又はフレームにフレームを識別する値を挿入し、識別する値で検出してもよい。後者の場合には、停止又はスリープまでに時間を要する場合の所定の時間の検出が正確となる効果がある。フレームで検出する場合には、導通可能な最小のフレーム長とすることが望ましい。
７．隣接するに送信許可する時間と、当該に送信許可する時間の間隔を狭めて、所定の強度又は誤り率での受信ができる時間を検出する。本方式は、隣接との強度依存性があるので、隣接するを変更する場合には、再測定する。又は元々の隣接すると新たに隣接するとの強度比に応じて時間を拡大する。
８．一般的な市中品又は接続可能性のある最長の時間とする。
【００２９】
<信号速度決定＞
更に送受信可能なビットレートが送受信器によって異なるときは、以下のいずれかによって取得してもよい。
上記の所定の時間の取得の１〜３の他、
９．レンジング／ディスカバリで複数の信号速度で送る。ＯＮＵ２０は所定の信号レベル又は所定の誤り率で復号できる信号速度又は送信可能な最速の信号速度で応答する。ＯＬＴ３０は、応答によって信号速度を識別する。
１０．信号が来て受信できないときは、所定の回数や時間経過で受信する信号速度を変更し、所定の信号レベル又は所定の誤り率で復号できる信号速度で受信する。
１１．信号を送って受信されないときは、所定の回数や時間経過で送信する信号速度を変更し、受信されたときの応答のある信号速度で送信する。
１２．接続可能性のある最遅信号速度とする。
【００３０】
＜伝送効率向上＞
立ち上がり時間が安定するまでの時間は適正な信号強度での発光ができないが、送信許可が時間的に前に位置する信号の強度と比べて出力が低い送信により、異なるの送信許可を強度の変化量が少ないに連続的に送信するようにすることで、伝送効率向上を図ることが可能である。信号強度の変化量に関わらずランダムにへの送信許可を送ると、出力がばらつくため、安定にするための時間が毎回必要となるためである。
【００３１】
所定の時間、特にＷａｋｅＵｐや起動や発光に要する時間で、送信許可が時間的に前に位置する信号の強度と比べて出力が十分低い場合、例えば送信許可が時間的に前に位置する信号の消光比以下の強度であれば、前記前に位置する信号と送信許可とを重ねてもよい。の出力強度と出力後の伝送路等の損失によって異なるので、ＯＬＴ３０の受信器で受信する強度の変化量が少ない同士の送信許可を時間的に隣接させるのが望ましい。そうすことで、送信許可できない時間を短縮化することができ、結果として伝送効率向上を図ることが可能である。
【００３２】
例えば、図２（Ａ）に示すように、強度が１，１、２，２、３，３のＯＮＵ２０があれば、第１の並べ順は、１，２，３，３，２，１又は３，２，１，１，２，３のように強度が周期的に増減する並べ方である。また、例えば、図２（Ｂ）に示すように、第２の並べ順は、１，１，２，２，３，３又は３，３，２，２，１，１の昇順または降順である。ただし、この場合、１から３の切替のように小から大の順のところは送信許可出来ない時間が長くなる。
【００３３】
（立ち上がり時間取得方法）
・ＯＮＵ２０やＯＬＴ３０から立ち上がり時間を対向装置（ＯＮＵ２０やＯＬＴ３０）に通知
・ＯＮＵ２０及びＯＬＴ３０においてトレーニング信号を用いた実測
・ＯＮＵ２０及びＯＬＴ３０は、ＯＮＵ２０やＯＬＴ３０からの通知や光送信器又は／及び光送信器への照会やＯｐＳへの照会やＯｐＳ等からの通知により、型式やＭＡＣアドレス等の識別子を取得し、型式やＭＡＣアドレス等の識別子からカタログデータ等を参照して安定に要する時間を取得する
・制御システム１から予め立ち上がり時間をＯＮＵ２０及びＯＬＴ３０において設定
【００３４】
（立ち上がり時間に応じた通信方法）
立ち上がり時間は、起動／切替前の印加依存性(完全に休止している場合に比べて、起動前に起動状態よりも低い値で電流乃至電圧を印加している場合は安定に要する時間が短くなる)に応じて増減し、又、当該信号のレベルと当該信号の前の信号のレベル差のレベル差依存性に応じて増減（レベル差が小さいと安定に要する時間が小さくなり、レベル差が大きいと安定に要する時間がながくなる）するのが望ましい。
【００３５】
起動前の印加とレベル差依存性は、安定に要する時間等と同様にして得てもよいし、トレーニング期間を用いて実測により得てもよいし、１次関数等の予測式に応じて算出して良い。レベルは伝送路損失や光送信器の送信レベルや光受信器の受信レベルに依るので、送信やＯＬＴ３０の順序を同一とすると、実測する組み合わせやトレーニング期間を短くすることができる。また、光送信器又は／及び光送信器のレベル(出力低下や感度劣化)や応答時間(キャパシタンスの変化)等の経時劣化を考慮することが望ましい。
【００３６】
・ＯＮＵ２０及びＯＬＴ３０は、起動又は切替えてしてから安定に要する時間以上経過してから信号をやりとりする。例えば、制御部２０５及び制御部３０５は、起動又は切替えしてから安定に要する時間以上経過した後に信号のやりとりを行うように制御する。
・ＯＮＵ２０及びＯＬＴ３０は、起動又は切替えてしてから安定に要する時間するまではダミー信号やプリアンブル等の送信又は／及び受信を行い、安定に要する時間経過してから信号をやりとりする。例えば、制御部２０５及び制御部３０５は、起動又は切替えてしてから安定に要する時間するまではダミー信号やプリアンブル等の送信又は／及び受信を行い、安定に要する時間経過した後に信号のやりとりを行うように制御する。なお、プリアンブル等にＬＬＩＤ等のやり取りすべき識別子等を埋め込んでいる場合は、代替えとなるＬＬＩＤ相当やそれに代わるＭＡＣアドレスやＶＩＤ等を時間経過後にやりとりするのが望ましい。
【００３７】
（無効帯域の軽減方法）
・ＯＮＵ２０及びＯＬＴ３０は、送信側であれば、他の信号の影響を与えない(例えばＢＥＲ（Bit Error Rate）の劣化が許容範囲である)程度に起動／切替前に印加しておいて安定化までの時間を短くする
・ＯＮＵ２０及びＯＬＴ３０は、信号を送信する光送信器の切替や信号を受信する光受信器の切替では、切替前後のレベル差が少ない光送信器又は／及び光受信器の順番となる切替とする
【００３８】
ＯＮＵ２０及びＯＬＴ３０は、上述した処理によってパラメータを取得し、取得したパラメータに基づいて光送信器又は／及び光送信器を制御する。
【００３９】
次に、図１に戻って、ＯＮＵ２０及びＯＬＴ３０の具体的な構成について説明する。
ＯＮＵ２０は、受信部２０１、送信部２０２、指定部２０３、記憶部２０４及び制御部２０５を備える。
受信部２０１は、制御部２０５によって制御された受信タイミング及び速度で信号を受信する光受信器である。
送信部２０２は、制御部２０５によって制御された送信タイミング及び速度で信号を送信する光送信器である。
指定部２０３は、信号の安定に関するパラメータを取得する。例えば、指定部２０３は、信号の安定に関するパラメータを外部から取得する。指定部２０３は、取得部の一例である。
【００４０】
記憶部２０４は、指定部２０３によって取得された信号の安定に関するパラメータを記憶する。
制御部２０５は、記憶部２０４に記憶されている信号の安定に関するパラメータに基づいて、受信部２０１及び送信部２０２のいずれか又は両方を制御する。例えば、制御部２０５は、受信部２０１の受信タイミング及び送信部２０２の送信タイミングのいずれか又は両方を制御する。また、例えば、制御部２０５は、受信部２０１の受信速度及び送信部２０２の送信速度のいずれか又は両方を制御する。
【００４１】
ＯＬＴ３０は、受信部３０１、送信部３０２、指定部３０３、記憶部３０４及び制御部３０５を備える。
受信部３０１は、制御部３０５によって制御された受信タイミング及び速度で信号を受信する光受信器である。
送信部３０２は、制御部３０５によって制御された送信タイミング及び速度で信号を送信する光送信器である。
指定部３０３は、信号の安定に関するパラメータを取得する。例えば、指定部３０３は、信号の安定に関するパラメータを外部から取得する。指定部３０３は、取得部の一例である。
【００４２】
記憶部３０４は、指定部３０３によって取得された信号の安定に関するパラメータを記憶する。
制御部３０５は、記憶部３０４に記憶されている信号の安定に関するパラメータに基づいて、受信部３０１及び送信部３０２のいずれか又は両方を制御する。例えば、制御部３０５は、受信部３０１の受信タイミング及び送信部３０２の送信タイミングのいずれか又は両方を制御する。また、例えば、制御部３０５は、受信部３０１の受信速度及び送信部３０２の送信速度のいずれか又は両方を制御する。
【００４３】
次に、図３を用いて本発明におけるＯＮＵ及びＯＬＴの動作を説明する。図３は、本発明におけるＯＮＵ及びＯＬＴの動作を説明するための図である。図３では、ＯＮＵ２０がデータを送信し、ＯＬＴ３０がＯＮＵ２０から送信されたデータを受信する場合について説明する。また、図３では、制御システム１からパラメータを受取又は取得する例を示す。ここでＯＮＵ２０からＯＬＴ３０への上り方向がバースト伝送であり、ＯＮＵ２０の送信部２０２及びＯＬＴ３０の受信部３０１共にバースト対応でない場合を例示する。
【００４４】
制御システム１から指定部２０３及び指定部３０３にＯＮＵ２０の送信部２０２及びＯＬＴ３０の受信部３０１に関するパラメータを入力する。指定部２０３及び指定部３０３は、入力されたパラメータを立ち上がり時間に計算又は参照により変換する。ここでは、変換を指定部２０３及び指定部３０３で行うとしたが、変換は制御部２０５及び制御部３０５で行ってもよいし、送信部２０２及び送信部３０２又は受信部２０１及び受信部３０１で行ってもよい。立ち上がり時間をもって制御部２０５及び制御部３０５は、送信部２０２及び受信部３０１の出力時間を制御する。
【００４５】
図３では、制御システム１からのパラメータをＯＬＴ３０の指定部３０３が取得し、ＯＬＴ３０の指定部３０３⇒ＯＬＴ３０の制御部３０５⇒ＯＬＴ３０の受信部３０１によるＯＬＴ３０側を制御し、ＯＬＴ３０の指定部３０３⇒ＯＬＴ３０の制御部３０５⇒ＯＬＴ３０の送信部３０２⇒ＯＮＵ２０の受信部２０１⇒ＯＮＵ２０の制御部２０５⇒ＯＮＵ２０の指定部２０３⇒ＯＮＵ２０の制御部２０５⇒ＯＮＵ２０の送信部２０２で制御している。
【００４６】
ここでの制御はＯＬＴ３０側にてＯＮＵ２０の指定部２０３又はＯＮＵ２０の制御部２０５と同等の処理をすれば、いずれかを省略してもよいし、ＯＬＴ３０の制御部３０５を経由しなくてもよいし、ＯＬＴ３０の制御部３０５が入力を受けてもよい。例えば、ＯＬＴ３０の指定部３０３⇒ＯＬＴ３０の送信部３０２⇒ＯＮＵ２０の受信部２０１⇒ＯＮＵ２０の制御部２０５⇒ＯＮＵ２０の指定部２０３⇒ＯＮＵ２０の制御部２０５⇒ＯＮＵ２０の送信部２０２の経路や、ＯＬＴ３０の制御部３０５⇒ＯＬＴ３０の送信部３０２⇒ＯＮＵ２０の受信部２０１⇒ＯＮＵ２０の制御部２０５⇒ＯＮＵ２０の指定部２０３⇒ＯＮＵ２０の制御部２０５⇒ＯＮＵ２０の送信部２０２の経路や、ＯＬＴ３０の指定部３０３⇒ＯＬＴ３０の制御部３０５⇒ＯＬＴ３０の送信部３０２⇒ＯＮＵ２０の受信部２０１⇒ＯＮＵ２０の指定部２０３⇒ＯＮＵ２０の送信部２０２の経路や、ＯＬＴ３０の指定部３０３⇒ＯＬＴ３０の制御部３０５⇒ＯＬＴ３０の送信部３０２⇒ＯＮＵ２０の受信部２０１⇒ＯＮＵ２０の制御部２０５⇒ＯＮＵ２０の送信部２０２の経路や、ＯＬＴ３０の指定部３０３⇒ＯＬＴ３０の制御部３０５⇒ＯＬＴ３０の送信部３０２⇒ＯＮＵ２０の受信部２０１⇒ＯＮＵ２０の指定部２０３⇒ＯＮＵ２０の制御部２０５⇒ＯＮＵ２０の送信部２０２等の経路である。
【００４７】
また、ＯＮＵ２０とＯＬＴ３０を入替えてもよいし、ＯＬＴ３０がパラメータを受取り又は取得し、そのパラメータをＯＮＵ２０の指定部２０３に渡して、ＯＮＵ２０の制御部２０５によりＯＬＴ３０の受信部３０１を制御してもよい。
【００４８】
また、上記では、指定部２０３及び指定部３０３が、（１）制御システム１からパラメータ自体を取得する構成を例示したが、指定部２０３及び指定部３０３は、以下の（２）〜（７）の方法によってパラメータを取得してもよい。
（２）対向装置からパラメータ自体を取得
（３）制御システム１から識別番号等を取得し参照表や参照先サーバ等に問い合わせてパラメータを取得
（４）自装置の保持する識別番号等を参照表や参照先サーバ等に問い合わせてパラメータを取得
（５）対向装置から識別番号等を取得し参照表や参照先サーバ等に問い合わせてパラメータを取得
（６）送受信で協調したトレーニングによりパラメータを取得
（７）初期状態等で信号のとりこぼしをしながらのトレーニングによりパラメータを取得
【００４９】
具体的には、送信部又は受信部の存在を検出または起動又は起動後所定の時間経過等の契機により、ＯＮＵ２０又はＯＬＴ３０がパラメータを外部に問合せして取得するとしてもよいし、対向装置から取得してもよい。装置や送信部や受信部の種別や個体番号等とパラメータの対応表を予めＯＮＵ２０又はＯＬＴ３０又はＯｐＳ又は対応装置又は外部装置に保持して、保持する対応表を参照してパラメータを得てもよい。
【００５０】
指定部２０３及び指定部３０３は、運用前又は運用中にトレーニングを行いパラメータを得てもよい。運用中にトレーニングをする場合には、立ち上がり時間が長いものと想定して運用を始め、誤り率等の通信品質の劣化を通信で許容可能な値の範囲の範囲内で徐々に時間を短くすると、データを平衡に要する前に送信することを防ぐことができる。逆に、立ち上がり時間が短いものと想定して運用を始め、誤り率等の通信品質の劣化を通信で許容可能な値の範囲の範囲に入るまで時間を長くしてもよい。
【００５１】
制御部２０５及び制御部３０５による制御としては、送信部２０２及び送信部３０２と受信部２０１及び受信部３０１で立ち上がり時間の長い方の当該時間を経過するまでをガードタイムやプリアンブルの時間として送信時刻を設定する。当該時間を経過するまではデータを送受信しない。当該時間を経過するまではデータを送受信しない場合には当該時間から通常のガードタイムやプリアンブルなどの時間を減じた時間以上送信許可時間を割り当てることが望ましい。データを送受信する時刻よりも当該時間以上前倒しで起動する。データを送受信する時刻よりも当該時間以上前倒しで起動する場合には、送信側であれば、時分割多重する他の送信部のデータをＯＬＴ３０で受信する時間に被らないようにする又は被っても、当該他のの通信品質が予め定めが所定の値よりも劣化しない出力で起動する。
【００５２】
ここで、送信側にバッファは記載していないが、廃棄を許容する確率以下でしか予測を外さない予測割当、又は滞留しない程度の過剰に割当しない前提では、データが送信待ちとなるため、備えることが望ましい。
【００５３】
また、上述のように、受信側の装置であるＯＬＴ３０側の立ち上がり時間は考慮し、ＯＬＴ３０が受信できる状態になる前に届いた光信号は破棄しないようにするのが望ましい。例えば、ＯＬＴ３０内の処理又はＯＬＴ３０外に転送する分の光信号は受信する。ＯＬＴ３０側の立ち上がり時間は考慮し、平衡までの時間が十分早いバースト用の受信部であれば、バースト用対応のＧａｐとプリアンブル等のバーストのオーバヘッドの時間後にユーザデータ等が到着するよう、平衡までの時間が遅い連続用の受信部であれば、その時間を加味したＧａｐ乃至はプリアンブル等のバーストオーバヘッド経過後にユーザデータ等が到着するように、それぞれ早めにＧａｐ等を始めたり長くしたり、送信タイミングを遅らせたり、又はその組み合わせを行うのが望ましい。
【００５４】
図４は、上り信号がバーストとして、送信側をＯＮＵ２０、受信側をＯＬＴ３０とした場合の一例を示す図である。なお、図４では、上り信号がバーストとして、送信側をＯＮＵ２０、受信側をＯＬＴ３０として説明する構成を示しているが、下りがバーストの場合には逆としてもよいし、両方向ともとしてもよいし、送信側又は受信側の一方がバースト信号用である場合には、一方がバースト信号の通常の構成でもよい。
【００５５】
ＯＮＵ２０に対してデータ信号が入力されると、ＯＮＵ２０に入力されたデータは、不図示のデータ処理部を介して送信部２０２に送られる。送信部２０２は、連続信号用の光送信器を用いてデータを送信する。このとき、連続信号用の光送信器の出力が安定するまでの立ち上がり時間については、制御部２０５が送信部２０２を制御する。
【００５６】
例えば、ＯＮＵ２０の指定部２０３において設定された遅延時間が、立ち上がり時間の制御として使用される。具体的には、指定部２０３により指定された立ち上がり時間が記憶部２０４に記憶され、制御部２０５は、記憶部２０４に記憶された立ち上がり時間を用いて、送信部２０２の送信タイミングを制御する。ＯＮＵ２０内の連続信号用の光送信器の出力における立ち上がりには適切な信号状態になるまでに一定の時間を要するため、この遅延時間分だけ信号の送信を遅らせた上で信号を送信するよう制御している。
【００５７】
一方、ＯＬＴ３０の受信部３０１においてデータ信号が入力される。ＯＬＴ３０は、立ち上がりに相当する時間だけ、信号が実際には受信できていない状態であるため、設定された遅延時間分だけ遅らせて受信を開始するよう制御される。具体的には、ＯＬＴ３０の制御部３０５は、ＯＮＵ２０内の連続信号用の光送信器の出力における立ち上がりに必要な時間だけ受信ウィンドウを遅らせた上で信号を受信するよう受信部３０１を制御する。より具体的には、制御部３０５は、立ち上がるまで受信ウィンドウを遅らせるか、前倒しで立ち上げておくか、いずれかの制御を行う。
【００５８】
制御部３０５は、その時間分を見込んで割当量の合計を制限するか、立ち上がり時間分だけ実際のデータの送信時間に加算する。上記の処理を模式的に示した例を図５に示す。ＯＮＵ２０内の連続信号用の光送信器の出力における立ち上がり時間は、ＯＬＴ３０内の指定部３０３により指定され、立ち上がり時間を記憶する記憶部３０４において、記憶された時間が制御部３０５により用いられる。制御部３０５は、その時間を用いて受信部３０１の受信タイミングを制御する。
【００５９】
なお、ＯＬＴ３０内の処理又はＯＬＴ３０外に転送する分の光信号は受信するようにします。ＯＬＴ３０の立ち上がり時間は考慮します。平衡までの時間が十分早いバースト用の受信部であれば、バースト用対応のＧａｐとプリアンブル等のバーストのオーバヘッドの時間後にユーザデータ等が到着するよう、平衡までの時間が遅い連続用の受信部であれば、その時間を加味したＧａｐ乃至はプリアンブル等のバーストオーバヘッド経過後にユーザデータ等が到着するように、それぞれ早めにＧａｐ等を始めたり長くしたり、送信タイミングを遅らせたり、又はその組み合わせを行う。
【００６０】
（第２の実施形態）
ＰＯＮでは、帯域割当の対象としてを新規登録するためにレンジングが行われる。新規登録の対象となるＯＮＵ２０からの信号送信に遅延が生じる場合には、ＯＬＴ３０においてディスカバリウィンドウを開いていても、そのタイミングで何らかの信号が送信されない。そのため、無駄な期間が生じることになり効果的でない。そこで、第２の実施形態では、下記の調整を行うことで、ＯＬＴ３０において適切な時間のディスカバリウィンドウサイズを設定することができる。なお、第２の実施形態においても第１の実施形態と同様に、ＯＮＵ２０とＯＬＴ３０の少なくとも一方の光送信器又は光受信器の内の少なく一方が連続光信号用であるとする。
【００６１】
＜ウインドウサイズの調整＞
レンジングやディスカバリをする際のウインドウは、上記の所定の時間、例えば光送信器の時定数に応じて遅らせることが望ましい。または、ウインドウで衝突した場合のバックオフは所定の時間を含めてウインドウ内となるような値に制限するのが望ましい。
ＯＬＴ３０の制御部３０５は、上記の処理を行うことによって適切な時間のディスカバリウィンドウサイズを設定する。
【００６２】
第１の実施形態と第２の実施形態の実装パターン
以下、バースト受信するための全機能を光送受信部に備えてもよいし、一部を分割して備えてもよい。バースト受信するための処理部を指示部、光送受信器を実行部としてもよいし、バースト受信するための判断部の一部を指示部、残りを実行部としてもよい。ここで、図１の制御部＋記憶部＋指定部が指示部に相当してもよいし、制御部＋記憶部＋指定部の制御アルゴリズム相当が指示部に相当してもよい。指示部と実行部は図６のいずれかの要素又はその組み合わせの構成要素であってもよい。実行部は指示部が制御部＋記憶部＋指定部である場合には、１１のＴＲｘであってよいし、制御部＋記憶部＋指定部の制御アルゴリズム相当である場合には、図６のいずれかの要素又はその組み合わせの構成要素であってもよい。
【００６３】
通信装置は、例えば、ＰＯＮ等のＯＤＮ等の光ファイバ網等の通信網を経由する光信号等の信号によって、他の通信装置との通信を実行する通信装置である。通信装置は、例えば、ＯＬＴである。通信装置は、例えば、ＯＳＵ（Optical Subscriber Unit）でもよい。通信装置は、例えば、光信号を切り替えるスイッチ部（ＳＷ: Switch）を備える又は備えないＯＬＴと、他のＳＷとの組み合わせでもよい。通信装置は、例えば、ＯＬＴととの組み合わせでもよい。通信装置は複数の機器を備えてもよい。また、やマルチプレクサ（ＭＵＸ: multiplexer）やデマルチプレクサ（ＤＭＵＸ：demultiplexer）やＳＷ等の他の通信装置であってもよい。通信装置は、複数の構成要素から構成されていてもよい。各構成要素は単一の装置内に備えられてもよく、別々の装置に備えられてもよい。通信装置は複数の装置からなる仮想的な一つの装置であってもよい。仮想的な装置にはオペレーションシステム（ＯｐＳ: Operation System）、ＯＳＳ（Operation Support System）、ＮＥ（Network Element）を制御するＮＥ−ＯｐＳ、ＮＥのコントローラ、ＮＥ−ＯｐＳ等のＯＬＴの設定管理システムであるＥＭＳ等を含んでいてもよい。Element Management System（ＯｐＳ、ＯＳＳ、ＮＥ−ＯｐＳ、ＮＥのコントローラ、ＥＭＳ）を以下ＯｐＳ等と称する場合とこれらの内の一つで他を代表して示す場合がある。
【００６４】
図６は、部品又は装置の群からなる仮想的な通信装置又は通信システムの構成の例を示す図である。図６に示す通信装置は、主に同一波長（後述の例では、同一の周波数やモードやコアや符号や周波数や（サブ）キャリア等や波長を含めたそれらの組み合わせであってもよい）の送受信部（ＴＲｘ: Transceiver）１１の入出力を切替する光スイッチ部（光ＳＷ）１０と、ＴＲｘ１１と、スイッチ部（ＳＷ）１２と、スイッチ部（ＳＷ）１３と、制御部１４と、プロキシ部１５との少なくとも一部を備える。なお、通信装置は、外部サーバ１６を備え得る。
【００６５】
図６は、異なる波長（λＡ〜λＮ）の光信号を送受信（通信）するＴＲｘ１１が同一のＳＷ１２に接続される構成を示すが、これに限定されない。例えば、異なる波長（λＡ〜λＮ）の光信号を送受信するＴＲｘ１１が同一のＳＷ１２に接続される構成に加えて、同一の波長の光信号を送受信するＴＲｘ１１が同一のＳＷ１２に接続されていてもよいし、少なくとも一部の波長のＴＲｘ１１が複数同一のＳＷ１２に接続されていてもよいし、少なくとも一部の波長のＴＲｘ１１が可変波長であってもよいし、ＴＲｘ１１の内の一部又は全てが送信のみ又は受信のみ行うＴＲｘ１１であってもよい。
【００６６】
ＯＬＴなどの通信装置は、ＴＲｘ１１から制御部１４を備えていてもよいし、これらに加えて外部サーバ１６を更に、備えてもよい。また、ＯＳＵは、ＴＲｘ１１でもよいし、これに加えてＳＷ１２又はＳＷ１３を備えてもよい。
通信装置は、ＥＭＳを含めた仮想的な装置であってもよい。ＥＭＳに部品を乗せる構成としてはＯＮＯＳ（Open Network Operating System）の等の構成を用いてもよい。ＥＭＳ上に部品を乗せてもよいし、ＥＭＳ上の仮想ＯＬＴ（VirtualＯＬＴ）上に部品を乗せてもよいし、ＥＭＳ上の仮想ＯＬＴと並列に乗せてもよい。
【００６７】
光ＳＷ１０、ＴＲｘ１１、ＳＷ１２，ＳＷ１３、プロキシ部１５は、自律制御を行い、又は、装置に備える他の構成要素や、外部のＯｐＳ等（不図示）やコントローラ（不図示）や外部の装置（不図示）等(外部のＯｐＳ等（不図示）やコントローラ（不図示）や外部の装置（不図示）等を以下外部の装置等と称する)から制御され、又は、装置に備える他の構成要素や外部の装置等を介して転送された指示で制御される。ＴＲｘ１１は、光ＳＷ１０若しくはＳＷ１２のトラフィックの一部又はその全てに、所定の手順に従って、ＶＬＡＮ（Virtual Local Area Network）、優先、廃棄優先若しくは宛先等の少なくとも一部又はその組み合わせのタグの追加、削除、付替をして、又は、タグの変更無で、集約、分配、振分、複製、折返若しくは透過の少なくとも一つ又はその組み合わせの処理を行う。ＳＷ１２，ＳＷ１３、プロキシ部１５も同様の処理をそれぞれＴＲｘ１１若しくはＳＷ１３のトラフィックの一部又はその全て、ＳＷ１２若しくはプロキシ部１５のトラフィックの一部又はその全て、ＳＷ１３若しくは上位側の装置のトラフィックの一部又はその全て、に対して行う。
【００６８】
光ＳＷ１０は、ＯＤＮとＴＲｘ１１に接続される。光ＳＷ１０は、可変波長のＴＲｘ１１の入出力を含む同一波長（後述の例では、同一の周波数やモードやコアや符号や周波数や（サブ）キャリア等や波長を含めたそれらの組み合わせであってもよい。）のＴＲｘ１１の入出力を、異なる芯線（後述の例では異なるモードやコア等や芯線を含めたこれらの組み合わせであってもよい。)又はそれらにつながる光合分波器等に切替してもよいし、可変波長を含む複数波長（後述の例では、複数の周波数やモードやコアや符号や周波数や（サブ）キャリア等や波長を含めたそれらの組み合わせであってもよい。）のＴＲｘ１１の入出力又はそれらを光合分波器等で束ねたものを異なる芯線に切替してもよいし、可変波長を含む波長（後述の例では、周波数やモードやコアや符号や周波数や（サブ）キャリア等や波長を含めたそれらの組み合わせであってもよい。）のＴＲｘ１１の入出力を束ねて、異なる芯線又はそれらにつながる光合分波器等に切替してもよい。
【００６９】
ＳＷ１２は通信システム構成では波長毎の振分が主であるが、集約、分配、複製、折返、透過、ＶＩＤ（Virtual LAN Identifier）や優先廃棄を表すタグ等のタグ付加又はタグ付替を行ってもよい。上りトラフィックにおいては、集約が主であるが、分配、振分、複製、折返、透過、タグ付加又はタグ付替を行ってもよい。下りトラフィックも集約、分配、振分、複製、折返、透過、タグ付加又はタグ付替のいずれかを行ってもよく、少なくとも一部の組み合わせを行ってもよい。そのいずれとするかはサービスポリシーに応じて決定する。これは以降の通信システム構成でも同様である。
【００７０】
ＴＲｘ１１からプロキシ部１５の少なくとも一つが制御される場合と、制御されずにＴＲｘ１１からプロキシ部１５の少なくとも一つに制御情報が転送される場合とがある。転送元としては例えばプロキシ部１５又は外部サーバ１６がある。また、ＴＲｘ１１からプロキシ部１５が自律で動く場合もある。これは以降の通信システム構成でも同様である。
【００７１】
集線ＳＷは、複数のＯＬＴから若しくはＯＬＴへのトラフィックに集約、分配、振分、複製、折返若しくは透過の少なくとも一部を行う。
【００７２】
制御部１４は、光ＳＷ１０、ＴＲｘ１１、ＳＷ１２、ＳＷ１３、プロキシ部１５若しくは外部サーバ１６等の装置に備える構成要素や外部の装置等を制御し、又は光ＳＷ１０、ＴＲｘ１１、ＳＷ１２、ＳＷ１３、プロキシ部１５若しくは外部サーバ１６等の装置に備える構成要素や外部の装置等を介して、指示を転送する。
【００７３】
ＳＷ１３は、プロキシ部１５に直接、又は集線ＳＷ等を介して接続される。制御部１４、光ＳＷ１０、ＴＲｘ１１、ＳＷ１２、ＳＷ１３、プロキシ部１５又は外部サーバ１６、外部のＯｐＳ等（不図示）又はコントローラ（不図示）若しくは外部の装置（不図示）とが接続される。外部サーバ１６は、光ＳＷ１０、ＴＲｘ１１、ＳＷ１２、ＳＷ１３若しくは制御部１４若しくはプロキシ部１５等の装置に備える他の構成要素や外部の装置等を制御し、又はこれらを介して指示を転送する。
【００７４】
光ＳＷ１０、ＴＲｘ１１、ＳＷ１２、ＳＷ１３、制御部１４、プロキシ部１５若しくは外部サーバ１６は、光ＳＷ１０、ＴＲｘ１１、ＳＷ１２、ＳＷ１３、プロキシ部１５若しくは外部サーバ１６等の装置に備える構成要素は、装置に備える他の構成要素のトラフィックの少なくとも一部又はその複写の少なくとも一部又はそれらの少なくとも一部を書換したトラフィックの少なくとも一部又はそれらに対する応答の少なくとも一部を、光ＳＷ１０、ＴＲｘ１１、ＳＷ１２、ＳＷ１３、プロキシ部１５若しくは外部サーバ１６等の装置に備える他の構成要素や外部の装置等に送信してもよい。
【００７５】
ＯＬＴがＴＲｘ１１を備え、実行部と指示部とを分離して機能配備する例について説明する。この場合、ＯＬＴは、ＴＲｘ１１に実行部を備える。ＯＬＴは、ＴＲｘ１１の情報処理部や、ＣＰＵ（Central Processing Unit）等の演算処理可能な箇所に、指示部を備える。実行部が指示部よりＰＯＮ側に配置されることが応答速度の観点から好ましいが、逆でもよく、同位置の別装置上でもよく、同一装置上の別ＶＭ上でもよい。
【００７６】
なお、指示部を、ＴＲｘ１１、ＳＷ１２，ＯＳＵ，ＳＷ１３の例えば、情報処理部やＣＰＵ等の演算処理可能な箇所に備えてもよい。指示部をＯＬＴの例えば制御部１４、、情報処理部、制御盤又はＣＰＵ盤等の演算処理可能な箇所、ＯＬＴ外部の例えばセンタクラウド、ローカルクラウド、エッジクラウド、単独の外部サーバ１６、情報処理部、ＯｐＳ等の演算処理可能な箇所、に備えてもよい。指示部を、ＯＬＴの例えば制御部１４、情報処理部、制御盤又はＣＰＵ盤等の演算処理可能な箇所に備える。その他は第１の構成例と同様である。なお、第５の構成例は、ＴＲｘ１１とＯＬＴに演算処理可能な箇所を備える任意の構成に適用できる。なお、ＴＲｘ１１とＯＬＴの演算処理可能な箇所の両方に実行部及び指示部が備わってもよい。指示部を、ＯＬＴ外部の例えばセンタクラウド、ローカルクラウド、エッジクラウド、単独の外部サーバ１６、情報処理部、ＯｐＳ等の演算処理可能な箇所に備える。その他は第１の構成例と同様である。なお、第６の構成例は、ＴＲｘ１１とＯＬＴ外部に演算処理可能な箇所を備える任意の構成に適用できる。なお、ＴＲｘ１１とＯＬＴ外部の演算処理可能な箇所の両方に実行部及び指示部が備わってもよい。指示部を、ＯＬＴ外部の主信号ネットワーク中の例えばプロキシ部１５等の演算処理可能な箇所に備える。その他は第１の構成例と同様である。なお、第７の構成例は、ＴＲｘ１１とＯＬＴ外部の主信号ネットワーク中に演算処理可能な箇所を備える任意の構成に適用できる。なお、ＴＲｘ１１とＯＬＴ外部の主信号ネットワーク中の演算処理可能な箇所の両方に実行部及び指示部が備わってもよい。なお、いずれかの機能に演算処理可能な箇所を備える任意の構成に適用できる。なお、いずれかの機能の演算処理可能な箇所の両方に実行部及び指示部が備わっていてもよい。
【００７７】
実行部と指示部の入出力は、内部配線、バックボード、ＯＡＭ部１１４、主信号線、専用の配線、ＯｐＳ等、コントローラ又はＣｏｎｔ等の経路のいずれでよい。やりとりを指示部で直接終端して入力する場合、ＯＡＭ部１１４又は主信号にカプセル化してもよい。やりとりをいずれかの箇所で終端して、内部配線、バックボード、ＯＡＭ部１１４、主信号線、専用の配線、ＯｐＳ等、コントローラ又は制御盤等の経路を経由して入力してもよい。ＯＡＭ部１１４や主信号線を用いる場合、ＯＡＭ部１１４や主信号にカプセル化することが望ましい。主信号線を通す場合にはＯＳＵ又は他箇所のＳＷにて指示部に振り分けることが望ましい。
【００７８】
以上、この発明の実施形態について図面を参照して詳述してきたが、具体的な構成はこの実施形態に限られるものではなく、この発明の要旨を逸脱しない範囲の設計等も含まれる。
【符号の説明】
【００７９】
１０…光スイッチ部，１１…送受信部，１２…スイッチ部，１３…スイッチ部，１４…制御部，１５…プロキシ部，１６…外部サーバ，２０…ＯＮＵ，２０１…受信部，２０２…送信部，２０３…指定部，２０４…記憶部，２０５…制御部，３０…ＯＬＴ，３０１…受信部，３０２…送信部，３０３…指定部，３０４…記憶部，３０５…制御部
【図１】
2019092126.tif 000003
【図２】
2019092126.tif 000004
【図３】
2019092126.tif 000005
【図４】
2019092126.tif 000006
【図５】
2019092126.tif 000007
【図６】
2019092126.tif 000008